(57)【要約】【課題】  血液供給空間内での血液の滞留をなくして、血栓形成を防止する。【解決手段】  中空糸束３の両端部分をケース２の内面にポッティングすることによりケースの内部を、中空糸の内側の血液流路と中空糸の外側の処理液流路とに区画し、ケースの両端にキャップ部材７，９を液密状に取り付ける。このキャップ部材７，９には、血液流路に連通した血液導入ポート６及び血液導出ポート８を設ける。また、ケースには、上記処理液流路に連通した処理液導入ポート１３及び処理液導出ポート１４を設ける。そして、中空糸束３の端面とキャップ部材７，９の天井面との間に、血液導入ポート６から導入された血液が血液流路内に流入する前に流れる血液供給空間２４を形成する。このキャップ部材７，９の天井面には、中空糸束３の端面側に向けて膨出させた抵抗部３２を形成し、血液供給空間２４のうち抵抗部３２の外縁部よりも外側に向けて血液導入ポート２０を設ける。【選択図】  図２
2005270289.tif 000002
【特許請求の範囲】
【請求項１】
半透性の中空糸の中空糸束を筒状ケース内に装填し、中空糸束の両端部分をケース内面にポッティングすることによりケースの内部を、中空糸の内側の血液流路と中空糸の外側の処理液流路とに区画し、ケースの両端にキャップ部材を液密状に取り付け、上記血液流路に連通した血液導入ポートを備えると共に、上記処理液流路に連通した処理液ポートを備え、中空糸束の端面とキャップ部材の天井面との間に、血液導入ポートから導入された血液が血液流路内に流入する前に流れる血液供給空間を形成した中空糸型血液浄化器において、
キャップ部材の天井面に、中空糸束の端面側に向けて膨出させた抵抗部を形成し、血液供給空間のうち抵抗部の外縁部よりも外側に向けて血液導入ポートを設けたことを特徴とする中空糸型血液浄化器。
【請求項２】
前記抵抗部を天井面の中央部分に配置し、抵抗部の外側の天井面と中空糸束の端面との間隔を、抵抗部と中空糸束の端面との間隔よりも大きく設定し、この大きな間隔を有する領域に向けて血液導入ポートを設けたことを特徴とする請求項１に記載の中空糸型血液浄化器。
【請求項３】
前記抵抗部を天井面の中心から偏心させて配置したことを特徴とする請求項１に記載の中空糸型血液浄化器。
【請求項４】
前記血液導入ポートは、血液供給空間に導入された血液が渦流となるように血液供給空間の中心から偏心した状態で設けられていることを特徴とする請求項１から３のいずれかに記載の中空糸型血液浄化器。
【発明の詳細な説明】
【技術分野】
【０００１】
本発明は、透析治療等の血液浄化療法に用いられる血液浄化器に関し、特に半透性中空糸を用いたものに関する。
【背景技術】
【０００２】
中空糸型血液浄化器は、例えば腎臓や肝臓に疾患を持つ患者の血液浄化に使用されるものである。この血液浄化器では、筒型ケースに中空糸束を装填し、ケース内部を中空糸の内側の血液流路と中空糸の外側の処理液流路とに区画する。そして、中空糸を介して血液流路を流れる血液と処理液流路を流れる処理液との間で物質交換を行わせる。即ち、血液中の余剰成分を血液から処理液に移動させる一方、血液中の不足成分を処理液から血液へ補充する。この血液浄化器において、血液導入ポートと中空糸束の端面との間には血液供給空間が形成されている。したがって、血液導入ポートから導入された血液は、一旦この血液供給空間を通過した後に中空糸内側の血液流路を流れる。この血液供給空間は、ケース端部に装着されるキャップ部材の内側空間として形成されている。このキャップ部材には、例えば略漏斗状に形成されたものがある（例えば、特許文献１参照。）。このキャップ部材では、その筒先部分が血液導入ポートとして機能する。また、血液導入ポートに加え、処理液を導出（排出）する処理液導出ポートを一体に設けたキャップ部材も提案されている（例えば、特許文献２参照。）。さらに、血液導入ポートをキャップ部材の側面に突設し、血液をキャップ部材の側方から導入可能に構成したものもある（例えば、特許文献３参照。）。
【０００３】
そして、略漏斗状に形成されたキャップ部材や処理液導出ポートを一体に設けたキャップ部材では、血液導入ポートの内側空間、すなわち血液導入路の出口が中空糸束端面の略中心に対向する状態で開設されていた。この構成では、導入された血液が中空糸束端面の中心部分へ集中的に供給されることになる。また、血液導入ポートを側面に突設したキャップ部材では、血液導入ポート内の血液導入路の出口が血液供給空間の側面に開設されている。この構成では、導入された血液が中空糸の長手方向に対して略直交する方向から流入するので、血液導入路の出口（すなわちキャップ部材の内側に開設された血液出口）の周辺に血液が集中的に供給されることになる。
【０００４】
【特許文献１】特開平１０−３０５２１８号公報（第１図）
【特許文献２】特開２０００−１８９７６２号公報（第５頁，第１図）
【特許文献３】実開平６−６３０４８号公報（第９図）
【発明の開示】
【発明が解決しようとする課題】
【０００５】
ところで、上記した構成のキャップ部材では、血液供給空間の一部分へ血液が集中的に供給されてしまうことがあり、血液の供給量が他の部分よりも少ない空間において血栓が生じる虞があった。すなわち、血液供給空間内において血液の供給量が少なく血流の遅い部分があると、この空間を区画する壁面に血液中のタンパク質等が付着し易くなり、血栓形成の原因ともなり得る。この血栓防止の観点からすると、壁面に近い外側の流速を積極的に高めて、キャップ部材内の血液供給空間に血液が滞留するのをなくすことが求められる。また、血液と処理液の間の物質交換を効率良く行うには、中空糸束を構成する各中空糸に均等に血液を供給することが望ましい。しかしながら、上記構成のキャップ部材では、一部分への中空糸へ血液が集中的に供給されてしまうことがあり、この点に改善の余地があった。
【０００６】
本発明は、このような事情に鑑みてなされたものであり、血液供給空間内での血液の滞留をなくして、血栓形成を防止できる中空糸型血液浄化器を提供することを目的とする。また、本発明は、中空糸束を構成する各中空糸に対してより均等に血液を供給することができ、血液と処理液の間の物質交換効率をより高めることができる中空糸型血液浄化器を提供することを目的とする。
【課題を解決するための手段】
【０００７】
上記目的を達成するため、本発明の請求項１に係る発明は、半透性の中空糸の中空糸束を筒状ケース内に装填し、中空糸束の両端部分をケース内面にポッティングすることによりケースの内部を、中空糸の内側の血液流路と中空糸の外側の処理液流路とに区画し、ケースの両端にキャップ部材を液密状に取り付け、上記血液流路に連通した血液導入ポートを備えると共に、上記処理液流路に連通した処理液ポートを備え、中空糸束の端面とキャップ部材の天井面との間に、血液導入ポートから導入された血液が血液流路内に流入する前に流れる血液供給空間を形成した中空糸型血液浄化器において、
キャップ部材の天井面に、中空糸束の端面側に向けて膨出させた抵抗部を形成し、血液供給空間のうち抵抗部の外縁部よりも外側に向けて血液導入ポートを設けたことを特徴とする中空糸型血液浄化器である。
【０００８】
請求項２に係る発明は、前記抵抗部を天井面の中央部分に配置し、抵抗部の外側の天井面と中空糸束の端面との間隔を、抵抗部と中空糸束の端面との間隔よりも大きく設定し、この大きな間隔を有する領域に向けて血液導入ポートを設けたことを特徴とする請求項１に記載の中空糸型血液浄化器である。
【０００９】
請求項３に係る発明は、前記抵抗部を天井面の中心から偏心させて配置したことを特徴とする請求項１に記載の中空糸型血液浄化器である。
【００１０】
請求項４に係る発明は、前記血液導入ポートは、血液供給空間に導入された血液が渦流となるように血液供給空間の中心から偏心した状態で設けられていることを特徴とする請求項１から３のいずれかに記載の中空糸型血液浄化器である。
【発明の効果】
【００１１】
請求項１に係る発明によれば、抵抗部を設けることで血液供給空間は、抵抗部よりも外側に位置する外側領域の高さ（すなわち中空糸束の端面までの距離）が、抵抗部に対向する対向領域の高さよりも高くなる。このため、外側領域の流路抵抗が対向領域の流路抵抗よりも小さくなる。ここで、血液導入ポートは血液供給空間のうち抵抗部の外縁部よりも外側に向けて設けられているので、血液導入路を通った血液が外側領域内に効率よく導入される。そして、外側領域内に導入された血液は、この外側領域に沿って抵抗部を囲繞するように流れる。この流れによって、血液を中空糸束端面の全域に対して均等に行き渡らせることができる。その結果、外側領域に向けて積極的に血液を流すことができ、外側領域を流れる血液の流速を高めることができる。これにより、血液供給空間で血液が滞留するのを防ぐことができる。したがって、血液供給空間の壁面に対して血液中のタンパク質等が付着し難くなり、血栓形成の防止が図れる。さらに、各中空糸に対してより均等に血液を供給することができ、血液と処理液の間の物質交換効率をより高めることができる。
【００１２】
請求項２に係る発明によれば、抵抗部を天井面の中央部分に配置し、抵抗部の外側の天井面と中空糸束の端面との間隔を、抵抗部と中空糸束の端面との間隔よりも大きく設定しているので、血液供給空間は、中空糸束端面の中心部分の高さが最も低くなり、この位置から外側に向かうにつれて高さが高くなる。このため、外側領域内における血液の流れの中心を中空糸束端面の中心に揃えることができ、中空糸束端面の全域に対して血液を確実に行き渡らせることができる。これにより、各中空糸に対して血液をより確実に供給することができる。
【００１３】
請求項３に係る発明によれば、抵抗部を天井面の中心から偏心させて配置することで、血液の流れを調整できる。これにより、流速不足等によって生じる血液の不均一な流れを均一化することができる。
【００１４】
請求項４に係る発明によれば、血液導入ポートは、血液供給空間に導入された血液が渦流となるように血液供給空間の中心から偏心した状態で設けられているので、渦流によって血液を中空糸束端面の全域に対して確実に行き渡らせることができ、各中空糸に対してより均等に血液を供給することができる。さらに、血液供給空間の壁面付近を流れる血液の流速をより高めることができるので、血液供給空間内の血栓形成をより確実に防止できる。
【発明を実施するための最良の形態】
【００１５】
以下、本発明の実施の形態を図面に基づいて説明する。図１は、本発明における血液浄化器１の実施形態の一つである透析器を示す部分断面図である。
【００１６】
図１に例示した血液浄化器１は、筒型ケース２の内部に中空糸束３を装填し、ケース２の一方の端部に、血液を導入する血液導入ポート６を備えた導入側キャップ部材７を螺合装着し、他方の端部に、処理された血液が流出する血液導出ポート８を備えた導出側キャップ部材９を螺合装着し、ケース２内の両端部に、中空糸束３の端部をポリウレタン樹脂等の樹脂組成物により接着固定するポッティング部１０をそれぞれ設けて封止し、ケース２内の空間を血液が通る血液流路（各中空糸膜の内側空間）と処理液が通る処理液流路（各中空糸膜の外側空間）とに区画してある。また、ケース２の外周両端部に浄化処理する処理液（例えば、透析液）の導入ポート１３及び導出ポート１４を設け、上記血液導入ポート６から供給する血液を中空糸膜１１を介して処理液導入ポート１３から注入される透析液等の処理液により浄化処理する。なお、処理液導入ポート１３および処理液導出ポート１４は、それぞれ本発明における処理液ポートに相当する。
【００１７】
ケース２は、略円筒体を呈しており、例えば、ポリカーボネート、オレフィン系樹脂（例えば、ポリプロピレン）等の合成樹脂材料により上記処理液導入ポート１３及び処理液導出ポート１４とともに一体成型されており、中空糸束３の状況等が把握し易いように透明の容器として形成されている。
【００１８】
中空糸束３は多数の中空糸膜１１の束であり、この中空糸膜１１としては、セルロースアセテート、銅アンモニアセルロース、ポリアクリロニトリル、ポリメチルメタクリレート、ポリエチレン、ポリビニルアルコール、ポリスルホン、ポリアミド、ポリエステル系ポリマーアロイ等、セルロース系中空繊維や合成高分子中空繊維等、適宜な材質の中空繊維を用いることができる。そして、各中空糸膜１１は、中空孔の開口端が封止されることなくポッティング部１０の外側の面で開口している。
【００１９】
導入側キャップ部材７および導出側キャップ部材９は、ケース２の両端開口部を閉塞するように螺合装着される蓋状の部材であり、例えば、ポリカーボネート、オレフィン系樹脂（例えば、ポリプロピレン）等の合成樹脂材料により成型されている。また、これらのキャップ部材７，９の内周面には雌ネジ部２１が形成されている。キャップ部材７，９の雌ネジ部２１は、ケース２の両端のキャップ装着部２０に形成した雄ネジ部２２に螺合して装着するためのものであり、例えば、超音波溶着等により固定される。そして、キャップ部材７，９の液密性はその内部に装着したＯリング２３のシール性で確保している。このキャップ部材７，９をケース２の端部に取り付けると、導入側キャップ部材７とケース２との間には血液供給空間２４が、また、導出側キャップ部材９とケース２との間には血液導出空間（図示せず）がそれぞれ区画形成される。
【００２０】
なお、これらのキャップ部材７，９は、ポートの機能が違うのみで形状は同一である。すなわち、導入側キャップ部材７における血液導入ポート６は導出側キャップ部材９における血液導出ポート８に対応する。このため、導入側キャップ部材７に関する以下の説明は、導出側キャップ部材９にも同様にあてはまる。なお、この導入側キャップ部材７の構造については、後で詳細に説明する。
【００２１】
上記した構成を有する血液浄化器１の使用時には、導入側キャップ部材７を上方に、導出側キャップ部材９を下方にそれぞれ向けた状態で血液浄化器１を固定する。そして、導入側キャップ部材７の血液導入ポート６には動脈側の血液チューブを、導出側キャップ部材９の血液導出ポート８には静脈側の血液チューブをそれぞれ接続する（何れも図示せず）。また、処理液導出ポート１４には回収側の処理液チューブを、処理液導入ポート１３には導入側の処理液チューブを接続する（何れも図示せず）。
【００２２】
動脈側の血液チューブから患者の血液が血液浄化器１に供給されると、この血液は血液導入ポート６内の血液導入路６ａを通って血液供給空間２４内に供給される。血液供給空間２４に供給された血液は、その後各中空糸７内の血液流路を流下し、導出側キャップ部材９の血液導出空間（導入側キャップ部材７の血液供給空間２４に対応する空間）に流出する。血液導出空間に流出した血液は、血液導出ポート８の血液導出路（図示せず）を通じて静脈側の血液チューブに導出され、患者の体内に戻される。一方、導入側の処理液チューブからの処理液が血液浄化器１に供給されると、この処理液は処理液導入ポート１３を通って中空糸７の外側の処理液流路に供給される。その後、処理液は、処理液導出ポートから回収側の処理液チューブ内に流入して回収される。
【００２３】
このとき、血液流路と処理液流路との間では浸透圧などによって物質交換が行われる。そして、物質交換がなされた処理後の血液が患者の体内に戻される。具体的には、血液中の余剰成分は中空糸７を透過して処理液側に移動し、血液中の不足成分は中空糸７を透過して血液側に移動する。
【００２４】
この場合において、血液の処理効率を高めるためには、中空糸束３を構成する各中空糸に対して均等に血液を供給することが望ましい。また、血液供給空間２４内の血栓形成を防止するためには、血液供給空間２４の壁面付近を流れる血液の流速を高めて血液供給空間２４内に血液が滞留するのを防ぐことが望ましい。この点に鑑み、本実施形態では、上記天井面に中空糸束３の端面側に向けて抵抗部を膨出させて設け、この抵抗部が対向する領域の外側に向けて血液導入ポート６を設けている。以下、この点について詳細に説明する。
【００２５】
まず、キャップ部材７，９の構造について、導入側キャップ部材７を例にして説明する。ここで、図３および図４は、導入側キャップ部材７の構造を説明する図である。詳しくは、図３（ａ）は導入側キャップ部材７を切断した断面図であって、血液導入ポート６の一部も断面で示した図、（ｂ）は底面図である。また、図４（ａ）は右側面図、（ｂ）は左側面図、（ｃ）は平面図である。なお、上記したように、導入側キャップ部材７と導出側キャップ部材９は同一形状であるので、導入側キャップ部材７についてする以下の説明は導出側キャップ部材９についても同様である。
【００２６】
これらの図に示すように、導入側キャップ部材７は、本体部２７および血液導入ポート６を備え、樹脂によって一体成型されている。本実施形態では、ケース２と同様に、例えばポリカーボネート、オレフィン系樹脂（例えば、ポリプロピレン）等の合成樹脂材料によって作製されている。
【００２７】
上記の本体部２７は、略円形の天井部２８と、この天井部２８の周縁から起立し、ケース２のキャップ装着部２０の外周面を囲繞する略円筒状の胴体部２９とを備え、この胴体部２９の内周面に前記した雌ネジ部２１を刻設している。
【００２８】
天井部２８は、キャップ内側の表面が本発明の天井面として機能する。そして、この天井面のほぼ中央には抵抗部３２を設けている。この抵抗部３２は、天井部２８の一部分を中空糸束３の端面側（即ち、胴体部２９の開放端部側）に向けて膨出することで作製されている。本実施形態では、この抵抗部３２を底面の大きさに対して高さが低い略円錐形状とし、天井面の中央部分に設けている。この抵抗部３２により、導入側キャップ部材７の装着状態において、抵抗部３２の頂点が中空糸束３の端面に対して最も近接する。そして、頂点から径方向に離隔する程に、抵抗部表面から中空糸束３の端面までの距離が長くなる。言い換えると、血液供給空間２４の高さに関し、抵抗部３２の外縁部よりも外側に位置する外側領域２４Ａの高さが、抵抗部３２に対向する対向領域２４Ｂの高さよりも高くなる。したがって、外側領域２４Ａを流れる血液の流路抵抗は、対向領域２４Ｂを流れる血液の流路抵抗よりも小さくなる。
【００２９】
さらに、本実施形態では、外側領域２４Ａ内に位置する天井部２８を凹ませることで凹溝３３を形成している。そして、この凹溝３３は、抵抗部３２を囲繞する円弧状に設けられている。また、この凹溝３３は、螺旋状に設けられている。即ち、この凹溝３３から中空糸束３端面までの高さは、血液導入路６ａの出口６ｂ付近が最も高く、この出口６ｂから離隔する程に少しずつ低くなっている。言い換えると、この凹溝３３は、その溝深さが少しずつ浅くなっているといえる。さらに、この凹溝３３の幅は、先端に向かう程に、即ち、血液導入ポート６との境界から離隔する程に狭く構成されている。このような凹溝３３を設けることで、外側領域２４Ａの流路抵抗はこの凹溝３３によっても小さくなる。また、凹溝３３が螺旋状に設けられると共に、次第に縮幅されているので、血液供給空間２４内において、血液の渦流を積極的に発生させることができる。
【００３０】
そして、導入側キャップ部材７の内側であって天井部２８と胴体部２９の境界には、円形状の装着溝部３４が形成されている。この装着溝部３４は、Ｏリング１３を収納するための溝であり、略半円形状の断面とされ、凹溝３３を囲繞するように一周している。
【００３１】
また、血液導入ポート６は、天井部２８の外側表面に横向きに設けられ、内部には本体部２７の内側空間（即ち、血液供給空間２４）に連通する血液導入路６ａを開設している。詳しく説明すると、血液導入ポート６は、図３及び図４に示すように、血液導入路６ａの入口側（図３（ａ）中右側）の部分を、ケース２の端部および中空糸束３の端面に略平行に設けると共に、血液導入ポート６を血液供給空間２４の中心から偏心した状態で設けている。ここで、血液供給空間２４の中心から偏心した状態とは、径方向の仮想中心線に対し、この仮想中心線とは直交する方向に位置をずらして形成した状態である。
なお、本実施形態では導入側キャップ部材７の中心線を仮想中心線Ｌとしており、血液導入ポート６をこの仮想中心線Ｌから所定距離△Ｌだけ位置をずらして、即ち、オフセットした状態で形成している。これにより、血液導入路６ａの出口６ｂを上記の凹溝３３内（血液供給空間２４における外側領域２４Ａ内）に開口させている。言い換えると、この血液導入ポート６は、血液導入路６ａが外側領域２４Ａに向かう状態で形成されている（図３（ｂ）参照）。
【００３２】
このような構造の導入側キャップ部材７を使用すると、血液導入ポート６の血液導入路６ａは外側領域２４Ａ（本発明における抵抗部の外縁部よりも外側に相当）に向けて設けられているので、血液導入路６ａを通った血液が外側領域２４Ａ内に効率よく導入される。そして、血液供給空間２４では、外側領域２４Ａの流路抵抗が対向領域２４Ｂの流路抵抗よりも小さいので、導入された血液は外側領域２４Ａに沿って抵抗部３２を囲繞するように流れる。この流れによって、血液を中空糸束３端面の全域に対して均等に行き渡らせることができる。また、本実施形態では、血液導入ポート６を偏心させた状態で設けているので、血液導入ポート６から導入された血液によって血液供給空間２４には渦流が生じやすくなり、外側領域２４Ａ内における血液の流れをより速くすることができる。これにより、血液中に存在するタンパク質の血液供給空間２４の壁面への付着を確実に防止することができる。したがって、血液供給空間２４内で血液が滞留するのを防いで、血栓を形成し難くすることができる。
【００３３】
また、上記の抵抗部３２を天井面の中央部分に配置しているので、血液供給空間２４は、中空糸束端面における中心部が最も低くなり、この位置から外側に向かうにつれて高くなる。このため、外側領域２４Ａ内における血液の流れの中心を、中空糸束端面の中心に揃えることができる。その結果、中空糸束３を構成する各中空糸７へ血液を確実に行き渡らせることができる。
【００３４】
ところで、本発明は、上記実施形態に限定されるものではなく、特許請求の範囲の記載に基づいて種々の変形が可能である。例えば、図５に示すように、抵抗部４１を天井面の中心から偏心させて配置してもよい。例示した実施形態では、胴体部２９の内径に対して１／２程度の直径にした円錐状の抵抗部４１を用い、この抵抗部４１を血液導入路６ａの出口６ｂ側に近い位置に設けている。この実施形態では、抵抗部３２を血液導入路６ａの出口６ｂ側に偏心させていることで、血液導入路６ａから血液供給空間２４内に流入した血液に関し、その流速をできるだけ落とさずに送ることができる。このように血液の流れを調整することで、血液の滞留によって生じる血栓の形成を防ぐとともに、血液の不均一な流れを均一化できる。
【００３５】
また、抵抗部に関し、図６に示すように、楕円錘（底面が楕円形状の円錐形）の抵抗部４２としてもよく、図７に示すように、三日月形状に隆起させた抵抗部４３としてもよい。何れの形態でも、血液の流れを調整できる。そして、いずれにおいても血液導入ポート６は、抵抗部４２，４３が対向する領域の外側に向けて設けられている。
【００３６】
さらに、キャップ部材７，９に関し、上記各実施形態では、導入側キャップ部材７に血液導入ポート６を、導出側キャップ部材９に血液導出ポート８をそれぞれ備えたものを例示したが、本発明はこれに限定されない。すなわち、導入側キャップ部材７に血液導入ポート６および処理液導出ポート１４を、導出側キャップ部材９に血液導出ポート８および処理液導入ポート１３をそれぞれ備えたものであってもよい。
【００３７】
加えて、上記各実施形態では、導入側キャップ部材７と導出側キャップ部材９とが同一形状である例を説明したが、導入側キャップ部材に上記した血液導入ポートや抵抗部を備えていれば、導入側キャップ部材と導出側キャップ部材とを異なる形状としてもよい。
【００３８】
そして、上記実施形態では、透析器としての血液浄化器１を例にして説明したが、本発明はこれに限定されない。例えば、処理液導入ポートがない血液浄化器であって、中空糸を透過して血液から抽出される血漿を処理液導出ポートを通じて取り出すもの、すなわち血漿分離用フィルタに応用してもよい。また、中空糸の内側空間に連通する血液導入ポートと、中空糸の外側空間に連通する導出ポートをそれぞれ１つずつ備えた血液浄化器であって、導入ポートから流入した血液を半透膜で濾過して導出ポートから流出させ、血液中の異物を濾し取るもの、すなわち濾過器に応用してもよい。要するに、血液導入ポートと、中空糸により処理された血液あるいは血液中の成分等を導出する処理液ポートとを、少なくとも１つずつ備えた血液浄化器であれば、本発明を適用することができる。
【図面の簡単な説明】
【００３９】
【図１】血液浄化器の断面図である。
【図２】ケース先端部及び導入側キャップ部材を説明する部分拡大断面図である。
【図３】（ａ）は導入側キャップ部材を処理液導出ポートの位置で切断した断面図であって、血液導入ポートの一部も断面で示した図、（ｂ）は底面図である。
【図４】導入側キャップ部材の説明図であり、（ａ）は右側面図、（ｂ）は左側面図、（ｃ）は平面図である。
【図５】抵抗部を天井面の中心から偏心させて配置した実施形態を説明する図であり、（ａ）は断面図、（ｂ）は底面図である。
【図６】楕円錘状の抵抗部を説明する図である。
【図７】三日月形状に隆起した抵抗部を説明する図である。
【符号の説明】
【００４０】
１  血液浄化器
２  ケース
３  中空糸束
６  血液導入ポート
６ａ  血液導入路
６ｂ  出口
７  導入側キャップ部材
８  血液導出ポート
９  導出側キャップ部材
１０  ポッティング部
１１  中空糸膜
１３  処理液導入ポート
１４  処理液導出ポート
２０  キャップ装着部
２１  雌ネジ部
２２  雄ネジ部
２３  Ｏリング
２４  血液供給空間
２４Ａ  血液供給空間の外側領域
２４Ｂ  血液供給空間の対向領域
２７  本体部
２８  天井部
２９  胴体部
３２  抵抗部
３３  凹溝
３４  装着溝部
４１〜４３  抵抗部
【図１】
2005270289.tif 000003
【図２】
2005270289.tif 000004
【図３】
2005270289.tif 000005
【図４】
2005270289.tif 000006
【図５】
2005270289.tif 000007
【図６】
2005270289.tif 000008
【図７】
2005270289.tif 000009